(57)【要約】      （修正有）【課題】就寝者の就寝中の保温性に優れ、また、温度調整が容易である毛布一体型敷きパッドを提供する。【解決手段】  毛布一体型敷きパッド１０は、表面２２に就寝者が横臥し、裏面を敷布団の上に載置する敷きパッド部２０と、就寝者に掛けられる掛け布団としての第一の毛布部３０と、就寝者に掛けられる掛け布団としての第二の毛布部４０と、第一の毛布部３０と第二の毛布部を開け閉めするファスナ５０とから概略構成されている。【選択図】図１
0003117028.tif 000002
【実用新案登録請求の範囲】
【請求項１】
一組の長辺と一組の短辺とを有する略長方形の敷きパッド部と、
向かい合う第一の長辺部と第二の長辺部と、向かい合う第一の短辺部と第二の短辺部と、を有し、前記敷きパッド部の一方の長辺に前記第一の長辺部が縫い付けられる、略四角形の第一の毛布部と、
向かい合う第三の長辺部と第四の長辺部と、向かい合う第三の短辺部と第四の短辺部と、を有し、前記敷きパッド部の他方の長辺に前記第三の長辺部が縫い付けられる、略四角形の第二の毛布部と、
前記第二の長辺部と前記第四の長辺部とに縫い付けられるファスナとを具備することを特徴とする毛布一体型敷きパッド。
【請求項２】
前記敷きパッド部の一方の短辺の略半分に前記第一の短辺部が縫い付けられ、前記敷きパッド部の一方の短辺の残りの略半分に前記第三の短辺部が縫い付けられていることを特徴とする請求項１に記載の毛布一体型敷きパッド。
【請求項３】
前記敷きパッド部の一方の長辺は前記第一の長辺部より長く、前記敷きパッド部の他方の長辺は前記第三の長辺部より長く、前記敷きパッド部の他方の短辺と、前記第二の短辺部と前記第四の短辺部とからなる略直線との間で、枕部を形成することを特徴とする請求項１または請求項２に記載の毛布一体型敷きパッド。
【請求項４】
前記第一の毛布部は前記第一の長辺部の側に第一のゆとり部を有し、前記第二の毛布部は前記第三の長辺部の側に第二のゆとり部を有することを特徴とする請求項１乃至請求項３に記載の毛布一体型敷きパッド。
【請求項５】
前記敷きパッド部にキルティング加工を施したことを特徴とする請求項１乃至請求項４に記載の毛布一体型敷きパッド。
【請求項６】
前記敷きパッド部の、前記第一の毛布部と前記第一の毛布部が縫い付けられる面と反対の面の四隅に、敷布団に前記敷きパッドを掛け止めするベルトを有することを特徴とする請求項１乃至請求項５に記載の毛布一体型敷きパッド。
【考案の詳細な説明】
【技術分野】
【０００１】  この考案は、敷布団の上に敷く敷きパッドと、敷布団の上に掛ける掛け布団としての毛布とに関する考案で、詳細には就寝中の毛布のずれを防止するとともに、保温性に優れた、毛布一体型の敷きパッドに関するものである。
【背景技術】
【０００２】  従来より、就寝者の就寝中の寝返り等により起こる、敷布団と掛け布団の重ね合わせのずれを防止するために、様々な工夫が行われてきた。【０００３】  例えば、特許文献１に記載の寝具においては、敷布団と掛け布団の側部及び足下部を縫合等によって一体化し袋状とした寝具により、就寝中の掛け布団のずれを防止していた。【０００４】  また、特許文献２に記載の敷布団と掛け布団からなる寝具においては、敷布団の左右両側に布を一体化させ、その上に掛け布団を載せ、包み込む様にして布同士を接着させることにより、就寝中の掛け布団のずれを防止していた。【０００５】
【特許文献１】  実開平６−５０５７３号公報
【特許文献２】  特開２００３−６１７８７号公報
【０００６】  しかしながら、特許文献１に開示される寝具では、敷布団に掛け布団とを縫合してしまうため、敷布団の汚れ防止用シーツや掛け布団の汚れ防止用カバー等を取り付ける作業が困難であった。【０００７】  また、特許文献２に開示される敷布団と掛け布団からなる寝具では、敷布団の左右に縫い付けられた２つの布で、掛け布団を包み込み、該左右の布に設けられたボタンとボタン穴で掛け布団を固定するというもので、掛け布団の回転方向のずれを防止することが困難であるとともに、掛け布団のめくれによる保温性の低下が避けられなかった。
【考案の開示】
【考案が解決しようとする課題】
【０００８】  この考案は、上述した課題を解決し、敷布団と一体化させずに掛け布団のずれを防止できる毛布一体型敷きパッドを提供することを目的とする。【０００９】  また、この考案は、就寝者の就寝中の保温性に優れ、また、温度調整が容易である毛布一体型敷きパッドを提供することを目的とする。
【課題を解決するための手段】
【００１０】  上述の課題を解決し、目的を達成するために、この考案の毛布一体型敷きパッドは、請求項１の記載によると、一組の長辺と一組の短辺とを有する略長方形の敷きパッド部と、向かい合う第一の長辺部と第二の長辺部と、向かい合う第一の短辺部と第二の短辺部と、を有し、前記敷きパッド部の一方の長辺に前記第一の長辺部が縫い付けられる、略四角形の第一の毛布部と、向かい合う第三の長辺部と第四の長辺部と、向かい合う第三の短辺部と第四の短辺部と、を有し、前記敷きパッド部の他方の長辺に前記第三の長辺部が縫い付けられる、略四角形の第二の毛布部と、前記第二の長辺部と前記第四の長辺部とに縫い付けられるファスナとを具備することを特徴とする。【００１１】  また、この考案の毛布一体型敷きパッドは、請求項２の記載によると、前記敷きパッド部の一方の短辺の略半分に前記第一の短辺部が縫い付けられ、前記敷きパッド部の一方の短辺の残りの略半分に前記第三の短辺部が縫い付けられていることを特徴とする。【００１２】  また、この考案の毛布一体型敷きパッドは、請求項３の記載によると、前記敷きパッド部の一方の長辺は前記第一の長辺部より長く、前記敷きパッド部の他方の長辺は前記第三の長辺部より長く、前記敷きパッド部の他方の短辺と、前記第二の短辺部と前記第四の短辺部とからなる略直線との間で、枕部を形成することを特徴とする。【００１３】  また、この考案の毛布一体型敷きパッドは、請求項４の記載によると、前記第一の毛布部は前記第一の長辺部の側に第一のゆとり部を有し、前記第二の毛布部は前記第三の長辺部の側に第二のゆとり部を有することを特徴とする。【００１４】  また、この考案の毛布一体型敷きパッドは、請求項５の記載によると、前記敷きパッド部にキルティング加工を施したことを特徴とする。【００１５】  また、この考案の毛布一体型敷きパッドは、請求項６の記載によると、前記敷きパッド部の、前記第一の毛布部と前記第一の毛布部が縫い付けられる面と反対の面の四隅に、敷布団に前記敷きパッドを掛け止めするベルトを有することを特徴とする。
【考案の効果】
【００１６】  この考案により、就寝者が就寝中に寝返りや身体を動かした際にも、掛け布団の役目を果たす毛布がずれることがなく、また、毛布の上にさらに掛けた掛け布団がずれることが少なくなり、就寝者の寝冷えを防止し、快適な睡眠を得られる毛布一体型敷きパッドを提供することができる。【００１７】  また、この考案により、就寝者が暑いと感じた際にはファスナの止め位置を下げ、寒いと感じたときはファスナの止め位置を上げることにより容易に温度調整が可能な、保温性、保湿性、通気性に優れた毛布一体型敷きパッドを提供することができる。【００１８】  さらにまた、この考案により、敷布団の汚れ防止用シーツや掛け布団の汚れ防止用カバーの代わりに使用できる、家庭での洗濯が可能な毛布一体型敷きパッドを提供することができる。
【考案を実施するための最良の形態】
【００１９】  この考案の実施の具体的形態例を、図１乃至図５を用いて以下に説明する。
なお、この考案を実施するための最良の形態で説明する素材や手段等はこれに限定されるものではなく、その目的が達成されれば、どのようなものでも良いことは言うまでもない。【００２０】  図１は、この考案における毛布一体型敷きパッド１０の全体図である。図２は敷きパッド部２０の表面図であり、図３は敷きパッド部２０の裏面図である。また、図４は第一の毛布部３０および第二の毛布部４０を示す図である。また、図５は毛布一体型敷きパッド１０の展開図である。【００２１】  図１によると、この考案における毛布一体型敷きパッド１０は、敷きパッド部２０と、第一の毛布部３０と、第二の毛布部４０と、ファスナ５０とから概略構成されている。なお、ファスナ５０は、第一の毛布部３０と第二の毛布部４０との裏側に縫い付けられるため、破線で図示している。【００２２】  また、図２および図３によると、敷きパッド部２０は、一組の長辺と一組の短辺とを有する略長方形の形状を呈し、表面２２に就寝者が横臥し、裏面２４を敷布団の上に載置するマット状のパッドである。この敷きパッド２０は、マットレス（敷布団の下に敷く厚手のマット）や敷布団などの保温性や柔軟性が足りないときに使用すると有効なパッドである。また、この敷きパッド部２０に使用する表生地、中わた、裏生地に、水洗いまたは家庭用洗剤での洗濯が可能な素材を使用することで、毛布一体型敷きパッド１０は家庭での洗濯が可能となっている。【００２３】  また、この敷きパッド２０には、キルティング加工２６が施してある。このキルティング加工とは、表面２２を形成する表生地と裏面２４を形成する裏生地の間に中わたを入れ、表生地または裏生地の側から、糸とミシンを使用して、等間隔の直線や格子状の直線または波模様等の一定の模様の周期を繰り返す曲線で縫い合わせる加工のことである。なお、この実施例でのキルティング加工２６は、等間隔の直線のキルティング加工となっているが、格子状の直線または波模様等の一定の模様の周期を繰り返す曲線等、どのようなキルティング加工でも良いことは言うまでもない。【００２４】  この敷きパッド２０の表生地および裏生地の布地には、例えば、コットン（木綿）や麻等の天然繊維や、アクリルやポリエステル等の合成繊維を用いた布地が使用可能である。また、裏生地には就寝中に敷きパッド２０が敷布団からずれてしまうのを防止するために、裏生地の敷布団に接する側の面にゴム等による滑り止め加工を施すことも可能である。【００２５】  また、この敷きパッド２０の中わたには、例えば、コットン（木綿）、ポリエステル、ウレタン等や、それらの複合繊維で作られた素材が使用可能である。【００２６】  さらに、図３によると、この敷きパッド２０の裏面２４の四隅には、敷きパッド２０を敷布団に掛け止めするベルト２８が縫い付けられている。このベルト２８の端部が、一端が敷きパッド２０の長辺に、他端が敷きパッド２０の短辺に縫い付けられることで、ベルト２８は、敷きパッド２０の長辺と短辺とに斜めに掛け渡されている。敷きパッド２８は、裏面２６を敷布団に載置した後に、敷布団の四隅をベルト２８に通すことで掛け止めされる。また、このベルト２８に、例えば伸縮自在のスパンゴム等を使用すれば、よ���確実に敷きパッド２０を敷布団に掛け止めすることが可能である。【００２７】  また、図４は、就寝者が敷きパッド部２０の上に横臥した際に就寝者の上に掛けられる掛け布団としての第一の毛布部３０と第二の毛布部４０とを表側（図１で図示される第一の毛布部３０と第二の毛布部４０と同じ側）から図示したものである。図４によると、第一の毛布部３０は、向かい合う第一の長辺部３１と第二の長辺部３２と、向かい合うとともに略平行の第一の短辺部３３と第二の短辺部３４とを有する略台形の形状を呈する。また、第一の長辺部３１は敷きパッド部２０の一方の長辺に縫い付けられ、第二の長辺部３２の裏側にはファスナが縫い付けられる。なお、図４において、点線で示される３５はファスナ５０の第一のファスナ縫い付け部である。さらに、第一の短辺部３３は敷きパッド部２０の一方の短辺の略半分に縫い付けられ、第二の短辺部３４は就寝者の首位置近傍に配置される。【００２８】  また、第一の毛布部３０は第一のゆとり部３６を有している。この実施例で説明する第一のゆとり部３６とは、敷きパッド部２０と第一の毛布部３０との間に就寝者の身体が収納される空間を形成するための部分である。図４のように、この第一のゆとり部３６には、破線で示す山折り部（図面の表側を山とする折り線）と、一点鎖線で示す谷折り部（図面の表側を谷とする折り線）とが設けてある。第一の長辺部３１を敷きパッド部２０の一方の長辺（図１の図面左側の長辺）に縫い付けて、山折り部と谷折り部で第一のゆとり部３６を折り曲げると、図１に図示するように、第一のゆとり部３６により、敷きパッド部２０と第一の毛布部３０との間に、就寝者の身体が収納される、空間が形成される。なお、この実施例においては、破線で示す山折り部と一点鎖線で示す谷折り部で折り曲げる説明をしたが、必ずプリーツ加工やアイロン加工等で山折り部や谷折り部の折り線の加工を行う必要はなく、上記第一のゆとり部３６を設けておけば、就寝者の身体が収納される空間を形成することが可能である。【００２９】  また、図４によると、第二の毛布部４０は、向かい合う第三の長辺部４１と第四の長辺部４２と、向かい合うとともに略平行の第三の短辺部４３と第四の短辺部４４とを有する略台形の形状を呈する。また、第三の長辺部４１は敷きパッド部２０の他方の長辺に縫い付けられ、第四の長辺部４２の裏側にはファスナが縫い付けられる。なお、図４において、点線で示される４５はファスナ５０の第二のファスナ縫い付け部である。さらに、第三の短辺部４３は敷きパッド部２０の一方の短辺の残りの略半分に縫い付けられ、第四の短辺部４４は就寝者の首位置近傍に配置される。【００３０】  また、第二の毛布部４０は第二のゆとり部４６を有している。この実施例で説明する第二のゆとり部４６とは、敷きパッド部２０と第二の毛布部４０との間に就寝者の身体が収納される空間を形成するための部分である。図４のように、この第二のゆとり部４６には、破線で示す山折り部（図面の表側を山とする折り線）と、一点鎖線で示す谷折り部（図面の表側を谷とする折り線）とが設けてある。第三の長辺部４１を敷きパッド部２０の他方の長辺（図１の図面右側の長辺）に縫い付けて、山折り部と谷��り部で第二のゆとり部４６を折り曲げると、図１に図示するように、第二のゆとり部４６により、敷きパッド部２０と第二の毛布部４０との間に、就寝者の身体が収納される、空間が形成される。なお、この実施例においては、破線で示す山折り部と一点鎖線で示す谷折り部で折り曲げる説明をしたが、必ずプリーツ加工やアイロン加工等で山折り部や谷折り部の折り線の加工を行う必要はなく、上記第二のゆとり部４６を設けておけば、就寝者の身体が収納される空間を形成することが可能である。【００３１】  これらの第一の毛布部３０および第二の毛布部４０には、例えばコットン（木綿）やアクリル等の繊維を用いて作られたパイル地や布地等が用いられる。なお、パイル地とは、パイル織、あるいはパイル編でできた生地の総称のことであり、織物の片面または両面に毛羽や輪奈を織り出した生地のことである。【００３２】  また、第一の毛布部３０の第二の長辺部３２と第二の短辺部３４には、トリコットや敷きパッド部２０の表面２２に用いられた表生地の共布により、第一のヘム３７が施されている。【００３３】  同様に、第二の毛布部４０の第四の長辺部４２と第四の短辺部４４には、トリコットや敷きパッド部２０の表面２２に用いられた表生地の共布により、第二のヘム４７が施されている。【００３４】  なお、トリコットとは、ナイロンやポリエステル等の繊維を用いて、縦方向に編目をつらねて作られたニット地のことであり、伸縮性と柔軟性を有し、シワや折り目がつきにくい素材のことである。また、共布とは同じ反物から取られた布地のことであり、同一の反物を使用することで色味も同一となるようにした布地のことである。また、ここで説明したヘム３７とは、第一の毛布部３０の第二の長辺部３２と第二の短辺部３４とをトリコットや共布等で覆い被せて縫い合わせた縁のことである。第一の毛布部３０は、パイル地や布地を使用しているので、第一のヘム３７はパイル地や布地を裁断した耳部分のほつれ防止と装飾のために施されている。また、第二のヘム４７も同様である。また、第一のヘム３７の素材や第二のヘム４７の素材は、この考案の毛布一体型敷きパッドのデザインや素材を考慮して、敷きパッド部２０の表面２２に用いられた表生地の共布や、第一の毛布部３０を覆う表生地の共布、または、その他のどのような素材を用いても構わない。なお、第一の毛布部３０や、第二の毛布部４０に使用する素材を、敷きパッド部２０の素材と同様に、家庭用洗剤で洗うことが可能な素材とすることで、この考案の毛布一体型敷きパッドは家庭での洗濯が可能となる。【００３５】  なお、第一の毛布部３０の第一の長辺部３１の寸法は、縫い付けられる敷きパッド部２０の一方の長辺の寸法より短く、また、第二の毛布部４０の第三の長辺部４１の寸法は、縫い付けられる敷きパッド部２０の他方の長辺の寸法より短い。また、第一のゆとり部３６と第二のゆとり部４６の寸法は、それらを折り返した際に、第一の毛布部３０の第二の短辺部３４と第二の毛布部４０の第二の短辺部４４が略直線となるように決められている。このような寸法の工夫により、第一の毛布部２０と第二の毛布部３０とを敷きパッド部２０に縫い付けて、第一のゆとり部３６と第二のゆとり部４６と���図１のように折り返すと、敷きパッド２０の他方の短辺と、第二の短辺部３４と第四の短辺部４４とからなる略直線との間に、図１の６０のような、就寝者の頭が置かれる枕部が形成される。【００３６】  ファスナ５０は、第一の毛布部３０と第二の毛布部４０とを開け閉めするためのものであり、具体的には滑り式留金具（スライドファスナ）のことである。このファスナ５０のエレメント部は、例えば金属、樹脂等のものが使用可能であり、また、このファスナ５０のスライダ部分も金属、樹脂等どのような材質のファスナであっても使用可能である。また、ファスナ５０は、オープンファスナ（下止め部が左右分離可能なファスナ）、止めファスナ（下止め部が分離しないファスナ）等、どのような構造のファスナでも使用可能である。【００３７】  以上のような、敷きパッド部２０、第一の毛布部３０、第二の毛布部４０、ファスナ５０による、この考案の敷きパッド一体型毛布１０の製造手順の一例を図５を用いて簡単に説明する。【００３８】  最初に、第一の毛布部３０と第二の毛布部４０とを、図４のような略台形の形状に裁断し、予め第一のヘム３７と第二のヘム４７とを取り付けておく。この状態では、第一の毛布部３０の第一の長辺部３１と第一の短辺部３３、および、第二の毛布部４０の第三の長辺部４１と第三の短辺部４３は、裁断面が残る切りっぱなしの状態である。なお、後に説明するが、第一の長辺部３１と第三の長辺部４１は、敷きパッド部２０の表生地と裏生地の間に挟み込まれるので、裁断面を残した切りっぱなしの状態でも良いが、第一の短辺部３３と第三の短辺部４３は、縫製の手順の都合上、裁断面が残る場合があるので、ロックミシン等で耳のほつれの防止加工をしておくとさらに良い。【００３９】  次に、敷きパッド部２０を構成する、表面２２となる表生地と裏面２４となる裏生地と中わたを裁断し、それらを重ね合わせてキルティング加工２６で縫い合わせる。この状態では、まだ、敷きパッド部２０の一方の長辺、他方の長辺、一方の短辺、他方の短辺は、表生地と裏生地が縫い合わされていない、口が開いた状態となっている。【００４０】  次に、敷きパッド部２０に第一の毛布部３０と第二の毛布部４０とを縫い合わせる。この縫い合わせは、例えば、敷きパッド部２０の表生地と裏生地との間の一方の長辺に、第一の毛布部３０の第一の長辺部３１を挟み込み、敷きパッド部２０の表生地の耳と裏生地の耳を中わたの側（すなわち内側）に折り込んで、この耳部分を本縫いミシンで縫い合わせていく。【００４１】  同様に、敷きパッド部２０の表生地と裏生地との間の他方の長辺に、第二の毛布部４０の第一の長辺部４１を挟み込み、敷きパッド部２０の表生地の耳と裏生地の耳を中わたの側（すなわち内側）に折り込んで、この耳部分を本縫いミシンで縫い合わせていく。また、この敷きパッド２０の一方の長辺と他方の長辺の耳部分を縫いながら、合わせて敷きパッド２０の一方の短辺と他方の短辺も、表生地と裏生地を中わたの側に折り込みながら本縫いミシンで縫い合わせていく。また、四隅の４つのベルト部２８も、表生地と裏生地の間に挟み込みながら、裏面２４の側にくるように縫い合わせる。【００４２】  ここまでの裁断、縫製の手順によ��、毛布一体型敷きパッド１０は、図５の状態となる。なお、図５の第一の毛布部３０と第二の毛布部４０で、図面上表側になっている面は、図４の第一の毛布部３０と第二の毛布部４０の裏側の面である。【００４３】  なお、第一の毛布部３０と第二の毛布部４０の敷きパッド部２０への縫い付けは、上記の方法のみでなく、例えば、敷きパッド部２０の表面２２に第一の毛布部３０の裏側の面（図５の図面上表側になっている面）を、一方の長辺と第一の長辺部３１とが重なるように重ね合わせ、まちばり等で仮止めしながらトリコット等のヘムを一方の長辺と第一の長辺部３１とに重ねて縫い合わせる方法でも良い。第二の毛布部４０も同様である。【００４４】  次に、第一の毛布部３０を第一のゆとり部３６で折り返し、また、第二の毛布部４０を第二のゆとり部４６で折り返して形を整え、第二の長辺部３２と第四の長辺部４２とを位置あわせをして、第一のファスナ縫い付け部３５と第二のファスナ縫い付け部４５とにファスナ５０を縫い付ける。なお、特に、ファスナ５０がオープンファスナの場合には、第一の毛布部３０および第二の毛布部４０に各々ヘムを縫い付ける時に、先に縫い付けておく方法でも良い。なお、この先にファスナ５０を縫い付けておく方法は、縫製時に工夫が必要ではあるが、止めファスナでも利用可能である。【００４５】  最後に第一の毛布部３０の第一の短辺部３３を敷きパッド部２０の一方の短辺の略半分の位置に合わせ、第二の毛布部４０の第三の短辺部４３を敷きパッド部２０の一方の短辺の残りの略半分の位置に合わせて縫い合わせる。この際、第一の毛布部３０および第二の毛布部４０を敷きパッド部２０の側に折り返して縫い合わせても良い。また、この折り返しての縫い合わせの代わりに、トリコット等のヘムを重ねて縫い合わせると、きれいに仕上げることができる。【００４６】  また、第一の短辺部３３と第三の短辺部４３は、敷きパッド部２０の一方の短辺の各々の略半分の位置まで縫い合わせると説明したが、第一の短辺部３３の寸法と第三の短辺部４３の寸法を足した長さを敷きパッド部２０の一方の短辺の寸法よりも長くして、縮縫（いせ）ながら縫うことで、就寝者の足部に余裕を持たせることができる。【００４７】  なお、この考案では、第一の短辺部３３と第三の短辺部４３とを敷きパッド部２０の一方の短辺（すなわち就寝者の足部側）に縫い付けると説明したが、この縫い付けの代わりにファスナを使用すれば、製造後に図５のように毛布部を全開にすることが可能である。このように足部側の縫製をファスナにすることで、夏期等の就寝者が暑いと感じた時に、足部のファスナのみを開けることで、毛布内の通気性を確保することが容易となるとともに、この考案の毛布一体型敷きパッド１０を洗濯して干すの乾燥が容易となる。【００４８】  なお、以上のように、裁断、縫製の手順を説明したが、製造の手順はこの方法に限られるものではなく、製造現場での縫いやすさや使用する素材、またはパターンの形状により、種々の方法があり、そのどの方法を使用しても良いことは言うまでもない。【００４９】  例えば、他の裁断、縫製の手順として、敷きパッド部２０に第一の毛布部３０と第二の毛布部４０とを重ね合わせ、仮止めした後に、敷きパッド部２０の周囲全体をヘムで縫製する方法等がある。この手順で縫製を行うことにより、敷きパッド部２０、第一の毛布部３０や第二の毛布部４０の周囲は、縫製が完了した後には一切裁断面が残らない。【００５０】  以上のように、この考案により、就寝者が就寝中に寝返りをしても、毛布部がずれることが少なく、また、毛布部の上に掛けた掛け布団もずれ落ちることが少ない、就寝中の寝冷えを防止することが可能な優れた毛布一体型敷きパッドを提供することができた。また、敷きパッドの足部にも毛布部が縫い付けられているので、就寝中に足が毛布の外へ出ることがなく、暖かい空気が逃げることがない保温性が優れた毛布一体型敷きパッドを提供することができた。【００５１】  また、この考案により、就寝者が暑いと感じた際にはファスナの止め位置を下げ、寒いと感じたときはファスナの止め位置を上げることにより容易に温度調整が可能な、保温性、保湿性、通気性に優れた毛布一体型敷きパッドを提供することができた。【００５２】  さらに、この考案の毛布一体型敷きパッドは、マットレスや敷布団へ確実に掛け止めするベルトを有しているので、敷きパッド自身も敷布団からずれることがない毛布一体型敷きパッドを提供することができた。【００５３】  さらにまた、この考案の毛布一体型敷きパッドの素材に、家庭用洗剤での洗濯が可能なコットン（木綿）やアクリル等の素材を使用することにより、家庭での洗濯が可能な毛布一体型敷きパッドを提供することができた。【００５４】  またさらに、この考案の毛布一体型敷きパッドの素材に、家庭用洗剤での洗濯が可能なコットン（木綿）やアクリル等の素材を使用することにより、布団の汚れ防止の敷布団用シーツと掛け布団用カバーの代わりとすることが可能である。【００５５】  なおまた、この考案の毛布一体型敷きパッドにおいて、敷きパッド部の厚みを厚めにすることで、敷布団やマットレスを使用しないで、直接板敷きの床面や畳に敷いて使用することも可能である。このような敷きパッド部の厚みを厚めにした毛布一体型敷きパッドでは、板張りの床面や畳の涼感を損なうことなく、就寝中の気温の低下に伴う就寝者の体温低下の防止による保温性の確保や、板張りや畳の硬さの軽減による柔軟性を確保することが可能も可能である。【００５６】  以上のように、この考案の毛布一体型敷きパッドにより、優れた寝具を提供することができた。
【図面の簡単な説明】
【００５７】
【図１】  この考案における毛布一体型敷きパッド１０の全体図。
【図２】  敷きパッド部２０の表面図。
【図３】  敷きパッド部２０の裏面図。
【図４】  毛布部３０および毛布部４０を示す図。
【図５】  毛布一体型敷きパッド１０の展開図。
【符号の説明】
【００５８】１０    毛布一体型敷きパッド
２０    敷きパッド部
２２    表面
２４    裏面
２６    キルティング加工
２８    ベルト
３０    第一の毛布部
３１    第一の長辺部
３２    第二の長辺部
３３    第一の短辺部
３４    第二の短辺部
３５    第一のファスナ縫い付け部
３６    第一のゆとり部
３７    第一のヘム
４０    第二の毛布部
４１    第三の長辺部
４２    第四の長辺部
４３    第三の短辺部
４４    第四の短辺部
４５    第二のファスナ縫い付け部
４６    第二のゆとり部
４７    第二のヘム
５０    ファスナ
６０    枕部
【図１】
0003117028.tif 000003
【図２】
0003117028.tif 000004
【図３】
0003117028.tif 000005
【図４】
0003117028.tif 000006
【図５】
0003117028.tif 000007